(57)【要約】【課題】ニーズのある商品情報の販売業者への提供。【解決手段】番組提供サイト１１５の放送予定の商品情報を通信網１１３を介して取得し、この商品情報に含まれる食品名及び食材名が食品マスタテーブル１０３又は食材テーブル１０４に含まれ且つ健康情報に関連するキーワードが番組情報に含まれるとき、これら食品又は食材を取り扱う販売業者のメールアドレスをユーザ情報テーブル１０１から検索し、食品名及び食材名を含む配信情報を業者メールアドレス宛に通信回線１１３を介して発信する商品情報事前通知システム。【選択図】  図１
2010191846.tif 000002
【特許請求の範囲】
【請求項１】
食品名及び食材名並びに該食品名及び食材名を紹介した番組名を含む商品情報を格納するデータベースを有する番組提供サイトに通信網を介して接続され、該番組提供サイトのデータベースに格納された商品情報を商品販売業者に提供する商品情報提供システムであって、
単品で飲食に供される食品の食品名と該食品に一意に付与された食品ＩＤと該食品の販売を取り扱う業種の業種ＩＤとを格納した食品情報格納手段と、
調理に供される食材の食材名と該食材に一意に付与された食材ＩＤと該食材の販売を取り扱う業種の業種ＩＤとを格納した食材情報格納手段と、
前記食品及び食材の販売を取り扱う業者の業種ＩＤと該業種ＩＤに対応する業者の業者ＩＤと該業者ＩＤに対応した業者のメールアドレスを格納する業者情報格納手段と、
前記番組提供サイトのデータベースに格納された商品情報に含まれる食品及び食材の情報を業者にメールによる通知を制御する制御手段とを備え、
該制御手段が、
前記番組提供サイトのデータベースに格納された商品情報を通信網を介して取得する第１工程と、
該第１工程により取得した商品情報に含まれる食品名及び食材名が、前記食品情報格納手段及び食材情報格納手段に格納されているか否かを判定する第２工程と、
該第２工程において取得商品情報に含まれる食品名及び食材名が前記食品情報格納手段及び食材情報格納手段に格納されていると判定したとき、格納された食品名及び食材名を取り扱う業種ＩＤと業者ＩＤと業者メールアドレスを前記業者情報格納手段から取得する第３工程と、
該第３工程により取得した業者ＩＤ毎に前記第２工程により格納手段に格納されていると判定した食品名及び食材名を含む配信情報を生成し、該配信情報を前記取得した業者メールアドレス宛に通信回線を介して発信する第４工程とを実行する商品情報提供システム。
【請求項２】
前記制御手段が、前記第１工程を未来の所定の番組放送期間を指定して実行する請求項１記載の商品情報提供システム。
【請求項３】
健康情報に関連する用語をキーワードとして格納する検索キーワードデータベースを備え、前記制御手段が、前記商品情報に含まれる食品名及び食材名と前記検索キーワードデータベースに格納した用語とをアンド条件として前記第２工程を実行する請求項１又は２記載の商品情報提供システム。
【請求項４】
前記制御手段が、前記第３工程において、第２工程により取得商品情報に含まれる食品名及び食材名が前記格納手段に格納されたと判定した番組名を含む配信情報を発信する請求項１から３何れかに記載の商品情報提供システム。
【請求項５】
単品で飲食に供される食品の食品名と該食品に一意に付与された食品ＩＤと該食品の販売を取り扱う業種の業種ＩＤとを格納した食品情報格納手段と、調理に供される食材の食材名と該食材に一意に付与された食材ＩＤと該食材の販売を取り扱う業種の業種ＩＤとを格納した食材情報格納手段と、前記食品及び食材の販売を取り扱う業者の業種ＩＤと該業種ＩＤに対応する業者の業者ＩＤと該業者ＩＤに対応した業者のメールアドレスを格納する業者情報格納手段と、前記番組提供サイトのデータベースに格納された商品情報に含まれる食品及び食材の情報を業者にメールによる通知を制御する制御手段とを備え、食品名及び食材名並びに該食品名及び食材名を紹介した番組名を含む商品情報を格納するデータベースを有する番組提供サイトに通信網を介して接続され、該番組提供サイトのデータベースに格納された商品情報を商品販売業者に提供するコンピュータシステムの商品情報提供方法であって、
該制御手段に、
前記番組提供サイトのデータベースに格納された商品情報を通信網を介して取得する第１工程と、
該第１工程により取得した商品情報に含まれる食品名及び食材名が、前記食品情報格納手段及び食材情報格納手段に格納されているか否かを判定する第２工程と、
該第２工程において取得商品情報に含まれる食品名及び食材名が前記食品情報格納手段及び食材情報格納手段に格納されていると判定したとき、格納された食品名及び食材名を取り扱う業種ＩＤと業者ＩＤと業者メールアドレスを前記業者情報格納手段から取得する第３工程と、
該第３工程により取得した業者ＩＤ毎に前記第２工程により格納手段に格納されていると判定した食品名及び食材名を含む配信情報を生成し、該配信情報を前記取得した業者メールアドレス宛に通信回線を介して発信する第４工程とを実行させる商品情報提供方法。
【請求項６】
前記制御手段に、前記第１工程を未来の所定の番組放送期間を指定して実行させる請求項５記載の商品情報提供方法。
【請求項７】
健康情報に関連する用語をキーワードとして格納する検索キーワードデータベースを設け、前記制御手段に、前記商品情報に含まれる食品名及び食材名と前記検索キーワードデータベースに格納した用語とをアンド条件として前記第２工程を実行させる請求項５又は６記載の商品情報提供方法。
【請求項８】
前記制御手段に、前記第３工程において、第２工程により取得商品情報に含まれる食品名及び食材名が前記格納手段に格納されたと判定した番組名を含む配信情報を発信する請求項５から７何れかに記載の商品情報提供方法。
【発明の詳細な説明】
【技術分野】
【０００１】
本発明は、ディジタルメディアにおいて宣伝・紹介される食品を含む商品の情報を販売業者に予め提供することができる商品情報事前通知システム及び同事前通知方法に関する。
【背景技術】
【０００２】
近年、健康ブームやダイエットブームも相まって、テレビなどのマスメディアで放映される商品や食品は爆発的な売れ行きを示し、放映の当日や翌日にはスーパーなどの店頭での品切れ状態が続くという現象が度々発生している。
【０００３】
このような購買力向上の一因となっているものには、インターネット上の番組紹介記事に商品や食品の詳細が掲載されることやディジタル放送によってオンラインにて商品や食品の情報を顧客が容易に入手することができる環境が整備されてきたことが挙げられ、これに関する技術として下記特許文献１及び２記載の技術が提案されている。
【０００４】
当該特許文献１には、予め消費者の特性などを収集しておき、各人の趣味志向に適した商品や食品情報を提供する技術が記載され、特許文献２には番組で放映中の商品や食品をその場でインターネット経由を介して注文可能な技術が記載されている。
【先行技術文献】
【特許文献】
【０００５】
【特許文献１】特開２００２−１３３２７５号公報
【特許文献２】特開２００４−５４５２８号公報
【発明の概要】
【発明が解決しようとする課題】
【０００６】
前述の特許文献に記載された技術は、消費者に放送中の商品や食品等の情報を提供し、これらを注文することができるものの、商品等の提供側である商店等に放送される商品や食品の情報を提供することは考慮されておらず、顧客ニーズがある商品や食品を商店側で準備することが困難であると言う不具合があった。
【０００７】
即ち、従来技術によれば、商品や食品の提供者側は番組情報をメディア等で見聞きして入手するしかないにもかかわらず、インターネット等の発達により購買者はより早く情報を入手することが可能となり、より早く商品や食品を購入しようと行動する一方で、提供者側の情報収集スピードが遅いため、仕入が間に合わずどの店舗でも品切れ状態が発生すると言う不具合があった。更に従来技術においては、前述の需要があるのに供給が追いつかないという事態を招き、スーパーや小売業者などに売上の損失を招いてしまうと言う不具合があった。
【０００８】
本発明の目的は、メディアを介して紹介される商品や食品の情報を小売業者等に予め提供することができる商品情報事前通知システム同事前通知方法を提供することである。
【課題を解決するための手段】
【０００９】
前記目的を達成するために本発明は、食品名及び食材名並びに該食品名及び食材名を紹介した番組名を含む商品情報を格納するデータベースを有する番組提供サイトに通信網を介して接続され、該番組提供サイトのデータベースに格納された商品情報を商品販売業者に提供する商品情報提供システムであって、
単品で飲食に供される食品の食品名と該食品に一意に付与された食品ＩＤと該食品の販売を取り扱う業種の業種ＩＤとを格納した食品情報格納手段と、
調理に供される食材の食材名と該食材に一意に付与された食材ＩＤと該食材の販売を取り扱う業種の業種ＩＤとを格納した食材情報格納手段と、
前記食品及び食材の販売を取り扱う業者の業種ＩＤと該業種ＩＤに対応する業者の業者ＩＤと該業者ＩＤに対応した業者のメールアドレスを格納する業者情報格納手段と、
前記番組提供サイトのデータベースに格納された商品情報に含まれる食品及び食材の情報を業者にメールによる通知を制御する制御手段とを備え、
該制御手段が、
前記番組提供サイトのデータベースに格納された商品情報を通信網を介して取得する第１工程と、
該第１工程により取得した商品情報に含まれる食品名及び食材名が、前記食品情報格納手段及び食材情報格納手段に格納されているか否かを判定する第２工程と、
該第２工程において取得商品情報に含まれる食品名及び食材名が前記食品情報格納手段及び食材情報格納手段に格納されていると判定したとき、格納された食品名及び食材名を取り扱う業種ＩＤと業者ＩＤと業者メールアドレスを前記業者情報格納手段から取得する第３工程と、
該第３工程により取得した業者ＩＤ毎に前記第２工程により格納手段に格納されていると判定した食品名及び食材名を含む配信情報を生成し、該配信情報を前記取得した業者メールアドレス宛に通信回線を介して発信する第４工程とを実行することを第１の特徴とする。
【００１０】
また本発明は、第１の特徴の商品情報提供システムにおいて、前記制御手段が、前記第１工程を未来の所定の番組放送期間を指定して実行することを第２の特徴とし、該第１又は第２の特徴の商品情報提供システムにおいて、健康情報に関連する用語をキーワードとして格納する検索キーワードデータベースを備え、前記制御手段が、前記商品情報に含まれる食品名及び食材名と前記検索キーワードデータベースに格納した用語とをアンド条件として前記第２工程を実行することを第３の特徴とし、前記何れかの特徴の商品情報提供システムにおいて、前記制御手段が、前記第３工程において、第２工程により取得商品情報に含まれる食品名及び食材名が前記格納手段に格納されたと判定した番組名を含む配信情報を発信することを第４の特徴とする。
【００１１】
更に本発明は、単品で飲食に供される食品の食品名と該食品に一意に付与された食品ＩＤと該食品の販売を取り扱う業種の業種ＩＤとを格納した食品情報格納手段と、調理に供される食材の食材名と該食材に一意に付与された食材ＩＤと該食材の販売を取り扱う業種の業種ＩＤとを格納した食材情報格納手段と、前記食品及び食材の販売を取り扱う業者の業種ＩＤと該業種ＩＤに対応する業者の業者ＩＤと該業者ＩＤに対応した業者のメールアドレスを格納する業者情報格納手段と、前記番組提供サイトのデータベースに格納された商品情報に含まれる食品及び食材の情報を業者にメールによる通知を制御する制御手段とを備え、食品名及び食材名並びに該食品名及び食材名を紹介した番組名を含む商品情報を格納するデータベースを有する番組提供サイトに通信網を介して接続され、該番組提供サイトのデータベースに格納された商品情報を商品販売業者に提供するコンピュータシステムの商品情報提供方法であって、
該制御手段に、
前記番組提供サイトのデータベースに格納された商品情報を通信網を介して取得する第１工程と、
該第１工程により取得した商品情報に含まれる食品名及び食材名が、前記食品情報格納手段及び食材情報格納手段に格納されているか否かを判定する第２工程と、
該第２工程において取得商品情報に含まれる食品名及び食材名が前記食品情報格納手段及び食材情報格納手段に格納されていると判定したとき、格納された食品名及び食材名を取り扱う業種ＩＤと業者ＩＤと業者メールアドレスを前記業者情報格納手段から取得する第３工程と、
該第３工程により取得した業者ＩＤ毎に前記第２工程により格納手段に格納されていると判定した食品名及び食材名を含む配信情報を生成し、該配信情報を前記取得した業者メールアドレス宛に通信回線を介して発信する第４工程とを実行させることを第５の特徴とする。
【００１２】
また本発明は、第１の特徴の商品情報提供方法において、前記制御手段に、前記第１工程を未来の所定の番組放送期間を指定して実行させることを第６の特徴とし、該５又は第６の特徴の商品情報提供方法において、健康情報に関連する用語をキーワードとして格納する検索キーワードデータベースを設け、前記制御手段に、前記商品情報に含まれる食品名及び食材名と前記検索キーワードデータベースに格納した用語とをアンド条件として前記第２工程を実行させることを第７の特徴とし、前記何れかの特徴の商品情報提供方法において、前記制御手段に、前記第３工程において、第２工程により取得商品情報に含まれる食品名及び食材名が前記格納手段に格納されたと判定した番組名を含む配信情報を発信することを第８の特徴とする。
【発明の効果】
【００１３】
本発明による商品情報提供システム及び方法は、番組提供サイトのデータベースに格納された商品情報に含まれる食品及び食材の情報を番組放送前に取得しておき、ダイエットやメタボ等の健康用語のキーワードと前記食品情報格納手段及び食材情報格納手段に格納された食品及び食材の情報を抽出し、当該食品及び食材を取り扱う業者に番組情報を予め配信することによって、メディアを介して紹介される商品や食品の情報を小売業者等に予め提供することができる。
【図面の簡単な説明】
【００１４】
【図１】本発明の一実施形態による商品情報事前通知システムの全体図。
【図２】本実施形態によるユーザ情報登録部のフローチャート図。
【図３】本実施形態による番組情報取得部のフローチャート図。
【図４】本実施形態による提供情報算出部のフローチャート図。
【図５】本実施形態による情報配信部のフローチャート図。
【図６】本実施形態によるテーブル間の関連を示す。
【図７】本実施形態によるユーザ情報テーブルの例を示す図。
【図８】本実施形態によるユーザ業種関連テーブルの例を示す図。
【図９】本実施形態による食品マスタテーブルの例を示す図。
【図１０】本実施形態による食材テーブルの例を示す図。
【図１１】本実施形態による業種マスタテーブルの例を示す図。
【図１２】本実施形態による配信される配信データ及び配信画面例を示す図。
【発明を実施するための形態】
【００１５】
以下、本発明による商品情報事前通知システム同事前通知方法の一実施形態を図面を参照して詳細に説明する。本実施形態においては、情報発信源としては様々なマスメディアが存在するが、最もメジャーであるテレビを例とし、そのテレビで放映される番組情報は各テレビ局や情報提供サイトが提供しているウェブサイト、宣伝・紹介される商品を料理種を含む食品とし、本システムを利用するユーザは食品を販売している店舗や該店舗等に食品を提供する小売卸業をユーザとして説明する。
【００１６】
本実施形態による商品情報事前通知方法を実現する商品情報事前通知システム１００は、図１に示す如く、商品購入者が操作する携帯電話やパソコンなどの受信者端末１１４とテレビ局等の番組情報サイト１１５とインターネット１１３を介して接続され、本システムの利用ユーザの情報を管理するユーザ情報テーブル１０１と、該ユーザ（店舗、小売業者）と業種の関連情報を管理するユーザ業種関連テーブル１０２と、食品情報を管理する食品マスタテーブル１０３と、カレーなどのように複数の食材から構成される食品の構成情報を管理する食材テーブル１０４と、青果店や精肉店などユーザが取り扱う商品種別を管理する業種マスタテーブル１０５と、ユーザ情報を登録するユーザ情報登録部１０６と、前記インターネット１１３を介したウェブサイト上から前記番組情報サイト１１５に登録された番組情報を取得する番組情報取得部１０７と、該番組情報取得部１０７が取得した番組情報からユーザへ提供するデータを抽出する提供情報算出部１０８と、ユーザの受信者端末１１４へヒット商品情報を配信する情報配信部１０９と、前記番組情報取得部１０７によって得られる番組情報１１０を入力として後述する手法によってユーザ（店舗、小売業者）に提供する商品情報である提供データ１１１を算出する提供情報算出部１０８とを備える。尚、前記構成は、コンピュータのハードウェア及びソフトウェアによって構成される。
【００１７】
また本商品情報事前通知システム１００は、前記各処理部に接続される各種データベースを備え、このデータベースは、図７に示したユーザＩＤ／ユーザ名／該ユーザのメールアドレスを記憶するユーザ情報テーブル１０１と、図８に示した前記ユーザの業種をユーザＩＤと業種ＩＤとの関連を記憶するユーザ業種関連テーブル１０２と、図９に示した食品ＩＤ／食品名（料理名含む）／該食品を商品として取り扱う業種ＩＤとして記憶する食品マスタテーブル１０３と、図１０に示した食材ＩＤ／食材名／該食材により調理される食品の食品ＩＤ／前記食材を取り扱う業種の業種ＩＤとを記憶した食材テーブル１０４と、図１１に示した業種ＩＤと該業種ＩＤの業種名とを記憶した業種マスタテーブル１０５とから構成される。
【００１８】
前記各テーブルに記憶した情報の関係は、図６に示す如く、小売業者であるユーザの情報を記憶したユーザ情報テーブル１０１が「ユーザＩＤ」によりユーザ業種関連テーブル１０２と関連づけられ、該ユーザ業種関連テーブル１０２が「業種ＩＤ」により業種マスタテーブル１０５／食品マスタテーブル１０３／食材テーブル１０４と関連づけられ、食品マスタテーブル１０３と食材テーブル１０４が「食材ＩＤ」によって関連づけられている。即ち、本実施形態による各種テーブルは、例えばテレビ番組からの情報として、「食品」名を取得した場合、該食品名をキーとして食品マスタテーブル１０３を参照し、該食品に対応する食材を食品ＩＤをキーとして食材テーブル１０４から抽出し、該抽出した食材ＩＤから業種ＩＤをキーとして業種マスタテーブル１５０を介して当該食材を取り扱う業種のユーザＩＤやメールアドレスをユーザ情報テーブル１０１から抽出することができる様に構成されている。
【００１９】
このように構成した本実施形態による商品情報事前通知システム１００は、ユーザ情報登録部１０６により、利用者であるユーザに売れ筋商品の商品情報を提供するため、予めメールアドレスなどの利用者情報を収集しておく必要があり、この情報提供を希望するユーザは、図２のステップ２０１及び２０２に示す如く、携帯電話やパソコンなどインターネット１１３に接続可能な受信者端末１１４を用いて本システムのウェブサイトへアクセスし、受信先となるメールアドレスやユーザ名／小売業の業種などが登録され、該ユーザ情報登録部１０６はユーザが入力した情報をユーザ情報テーブル１０１及びユーザ業種関連テーブル１０２に登録する。
【００２０】
次いで本商品情報事前通知システム１００は、前記番組情報取得部１０７により、図３に示す如く、番組情報サイト１１５からインターネット１１３を介して番組の情報を収集する未来の収集期間（例えば１日〜７日後の任意の期間／日数／曜日）を取得するステップ３０１と、該ステップ３０１により取得した収集期間の番組情報を収集するステップ３０２と、該収集した番組情報のうち、飲食店などの宣伝や紹介ではなく、ダイエットや健康志向などで人気を博し急激な売上増加が見込めそうであり、かつ一般家庭で購入・調理可能な食品を紹介・宣伝している番組情報を抽出するステップ３０３と、該ステップ３０３により抽出した番組情報をメモリに保持するステップ３０４とを実行する。このステップ３０３による情報の抽出は、例えば、「ダイエット」「メタボ」「健康」「痩身」「血液サラサラ」等のキーワードをデータベースに登録しておき、このデータベースに登録した健康に関する用語が番組のタイトルや特集名にあるか否かを判定することによって行うことができる。尚、前記ステップ３０２における番組情報の収集は、例えば健康情報を取り扱い且つ高視聴率の番組名を予め登録しておき、この番組名をアンド条件として番組情報を取得しても良い。
【００２１】
この番組情報１１０は、バナナのように単品で販売されるものや、カレーのようにじゃがいも・にんじん・肉・カレールーなど複数の食材で構成される食品などさまざまなものが含まれ、ユーザである各小売卸の業種に応じた情報を提供するため、番組情報１１０から食品情報を食材レベルにまで分類する必要がある。
【００２２】
次に提供情報算出部１０８は、図４に示す如く、食品マスタテーブル１０３及び食材テーブル１０４を参照し、前記メモリに格納した番組情報を取得するステップ４０１と、該ステップ４０１により取得した番組情報１１０に含まれるキーワード指定による食品情報（食品名／食材名／料理名等）を取得し、食品マスタテーブル１０３に該当する食品情報があるかどうか検索し、該当する食品情報がないと判定したときに処理を終了する４０３と、該ステップ４０３において該当する食品情報があると判定したとき、当該食品が複数食材で構成されるか否かを判定し、バナナの如き単体であり複数食材で構成されないと判定したときには後述するステップ４０７に移行するステップ４０５と、該ステップ４０５において食品がカレーやおでんのように複数の食材で構成される食品と判定したとき、該食品情報をキーとして食材テーブル１０４を検索して食材ＩＤを抽出し、この食材ＩＤをキーとして業種マスタテーブル１０５を検索することによって、番組情報／業種情報／食品情報を提供データ１１１としてメモリに記憶するステップ４０７と、前記ステップ４０３〜４０７の各処理を取得した番組数だけ繰り返すステップ４０２とを実行する。尚、前記ステップ４０７により記憶する番組情報は、放送日／放送するチャンネル番号／放送日時／放送タイトル／放送特集名等の情報も含まれるものである。
【００２３】
次に本システムの提供情報算出部１０８により抽出した提供データ１１１は、番組情報単位に、その番組で紹介／宣伝される食品を食材レベルでまとめたデータであり、このデータをユーザ単位に分類しなおす処理を実行するものであって、本実施形態による情報配信部１０９は、図５に示す如く、提供データ１１１を取得するステップ５０１と、該提供データ１１１が１件以上有るか否かを判定し、ないと判定したとき後述するステップ５０７に移行するステップ５０２と、該ステップ５０２において複数の提供データ１１１が存在すると判定したとき、該食材を取り扱っているユーザ（小売業者）が存在するか否かをユーザ業種関連テーブル１０２を参照して判定し、存在すると判定したときに後述するステップ５０５に移行するステップ５０４と、該ステップ５０４において食材を取り扱うユーザが存在すると判定したとき、当該ユーザＩＤを含む情報を配信情報としてメモリに保持するステップ５０５と、前記ステップ５０３から５０５による配信情報のメモリ保存を提供データの数だけ繰り返すステップ５０３と、各ユーザのデータ配信先メールアドレスをユーザ情報テーブル１０１から検索するステップ５０５と、前記ステップ５０５によりメモリに格納した配信情報をユーザ毎に纏めた配信情報をユーザ宛にメール送信するステップ５０７とを実行する。即ち、本システムは、データ単位に業種ＩＤをキーにユーザ業種関連テーブル１０２からその食材を取り扱っているユーザの有無を調べ、存在すれば配信情報１１２としてメモリに保持し、これを提供データ件数分繰り返し、最後に配信情報１１２が、ユーザＩＤをキーにユーザ情報テーブル１０１から配信先メールアドレスを取得し、各ユーザへインターネット１１３を介して配信情報１１２を送信するように動作する。
【００２４】
従って、例えば、ある週のテレビ番組において、「□□□」と「△△△」の２件の番組が該当番組としてヒットした場合、これらを食材レベルに分類すると、「□□□」はカレーの紹介であるため牛肉とにんじんに分類され、「△△△」はバナナの紹介であるためこれ以上分類する必要はなく、計３件の提供データが抽出し、この提供データを業者ごとに分類し、あるユーザには牛肉の情報が含まれた１件のデータが、他のユーザには人参とバナナの情報が含まれた２件のデータを送信することができる。従って、本実施形態によれば、商品や食品などが宣伝・紹介されることによって人気を博してヒット商品が生み出される流通業界において、仕入れ量の調整や在庫調整などに利用することができる。尚、前述の実施形態においては商品を食品とした例を説明したが、本発明はこれに限られるものではなく、著名な情報提供のテレビ番組等における商品であっても良い。
【符号の説明】
【００２５】
１００：商品情報事前通知システム、１０１：ユーザ情報テーブル、１０２：ユーザ業種関連テーブル、１０３：食品マスタテーブル、１０４：食材テーブル、１０５：業種マスタテーブル、１０６：ユーザ情報登録部、１０７：番組情報取得部、１０８：提供情報算出部、１０９：情報配信部、１１０：番組情報、１１１：提供データ、１１２：配信情報、１１３：インターネット、１１４：受信者端末、１１５：番組情報サイト、１５０：業種マスタテーブル。
【図１】
2010191846.tif 000003
【図２】
2010191846.tif 000004
【図３】
2010191846.tif 000005
【図４】
2010191846.tif 000006
【図５】
2010191846.tif 000007
【図６】
2010191846.tif 000008
【図７】
2010191846.tif 000009
【図８】
2010191846.tif 000010
【図９】
2010191846.tif 000011
【図１０】
2010191846.tif 000012
【図１１】
2010191846.tif 000013
【図１２】
2010191846.tif 000014